(57)【要約】【課題】電動ドリルのスイッチレバーのオン操作状態をロックするロックオン機能を有するスイッチにおいて、従来オン操作方向とロックオン操作方向が同じであったので、オン操作する際にそのまま誤ってロックオン操作をしてしまうといった誤操作をしやすかった。本発明では、オン操作時にそのままロックオン操作してしまうといった誤操作をしにくくすることを目的とする。【解決手段】スイッチレバー１１のオン操作方向とロックオン操作方向を異なる方向とする。ロックオンするには、スイッチレバー１１をオン位置側にスライド操作した後、その前部を下方へ押し下げ操作する構成とする。【選択図】図５
2014176913.tif 000002
【特許請求の範囲】
【請求項１】
駆動源としての電動モータを内装した工具本体部と、該工具本体部に接続され、作業者が把持するグリップ部と、該グリップ部に設けられ、前記電動モータの電源回路をオンオフするスイッチ本体と、該スイッチ本体をオンオフ操作するスイッチレバーと、を有する電動工具であって、
前記スイッチレバーは、少なくとも相互に異なる２方向へ操作することにより、前記スイッチ本体をオン状態に保持可能な構成とした電動工具。
【請求項２】
請求項１記載の電動工具であって、前記グリップ部の台座部には、前記スイッチレバーをオンオフ操作方向に支持する支持孔と、該スイッチレバーをオン位置に保持するための係合孔とが形成されており、
前記スイッチレバーは、前記支持孔に挿通される支持脚部と、前記係合孔に係合可能な係合突起部を備えており、
前記支持孔内に沿って前記支持脚部を移動させて前記スイッチレバーをオンオフ方向に操作可能であり、該スイッチレバーをオン位置においてオンオフ操作方向とは異なる方向に前傾動させて前記係合孔に前記係合突起部を係合させてロックオン操作可能な構成とした電動工具。
【請求項３】
請求項１又は２記載の電動工具であって、前記グリップ部は、前記工具本体部の後部上面から下面に跨るループ形を有しており、該ループ形のグリップ部の後部上面に前記スイッチレバーを備えた電動工具。
【発明の詳細な説明】
【技術分野】
【０００１】
本発明は、例えば孔明け作業用の電動ドリル等の電動工具に関する。
【背景技術】
【０００２】
この種の電動工具は、モータハウジング内に駆動源としての電動モータを内装した工具本体と、使用者が把持するグリップ部と、このグリップ部内に内装されて、電動モータの電源回路をオンオフするスイッチ本体と、このスイッチ本体をオンオフ操作するためのスイッチレバーを備えている。スイッチレバーをオン操作するとスイッチ本体がオンして電動モータが起動する。電動モータが起動すると、工具本体の前部に回転支持したスピンドルが回転する。スピンドルにはチャック部を介してドリルビット等の先端刃具が装着されている。
下記の特許文献に開示されているようにスイッチレバーの近傍には、ロックオンスイッチが併設されている場合がある。スイッチレバーをオン操作した状態でこのロックオンスイッチを操作すると、当該スイッチレバーがオン操作状態にロックされて電動モータの起動状態が保持される。このロックオンスイッチによれば、使用者はスイッチレバーから指先を離しても電動モータの起動状態が保持されることから、連続する孔明け作業等を楽に行うことができる。
【先行技術文献】
【特許文献】
【０００３】
【特許文献１】特開２０００−２３３３８３号公報
【特許文献２】特開平１１−３４７９６８号公報
【発明の概要】
【発明が解決しようとする課題】
【０００４】
しかしながら、従来のロックオンスイッチは、電動モータを起動させるオン方向への操作方向とこのオン状態をロックするロックオン方向が同じであったため、単にオン操作しようとした場合に誤ってロックオン状態まで操作してしまうといった誤操作をしやすい問題があった。
本発明では、ロックオン機能を有するスイッチについて誤操作されにくいようにすることを目的とする。
【課題を解決するための手段】
【０００５】
上記した課題は、以下の各発明によって解決される。
第１の発明は、駆動源としての電動モータを内装した工具本体部と、工具本体部に接続され、作業者が把持するグリップ部と、グリップ部に設けられ、電動モータの電源回路をオンオフするスイッチ本体と、スイッチ本体をオンオフ操作するスイッチレバーと、を有する電動工具であって、スイッチレバーは、少なくとも相互に異なる２方向へ操作することにより、スイッチ本体をオン状態に保持可能な構成とした電動工具である。
第１の発明によれば、スイッチ本体をロックオンさせるためにはスイッチレバーを相互に異なる２方向に操作する必要があるため、オン操作方向とロックオン操作方向が同じである従来構成に比して誤操作をしにくくすることができる。
第２の発明は、第１の発明において、グリップ部の台座部には、スイッチレバーをオンオフ操作方向に支持する支持孔と、スイッチレバーをオン位置に保持するための係合孔とが形成されており、スイッチレバーは、支持孔に挿通される支持脚部と、係合孔に係合可能な係合突起部を備えており、支持孔内に沿って支持脚部を移動させてスイッチレバーをオンオフ方向に操作可能であり、スイッチレバーをオン位置においてオンオフ操作方向とは異なる方向に前傾動させて係合孔に係合突起部を係合させてロックオン操作可能な構成とした電動工具である。
第２の発明によれば、スイッチレバーをオン位置側に操作した後、この操作方向とは異なる方向へ前傾動させて係合突起部を係合孔に係合させることによりスイッチ本体をロックオンさせることができる。
第３の発明は、第１又は第２の発明において、グリップ部は、工具本体部の後部上面から下面に跨るループ形を有しており、このループ形のグリップ部の後部上面にスイッチレバーを備えた電動工具である。
第３の発明によれば、グリップを把持した手の指先でスイッチレバーをオンオフ操作及びロックオン操作することができ、これにより当該電動工具の使い勝手を高めることができる。
【図面の簡単な説明】
【０００６】
【図１】本発明の実施形態に係る電動工具の全体側面図である。
【図２】第１実施形態のスイッチの平面図である。本図はオフ状態を示している。
【図３】第１実施形態のスイッチの縦断面図である。本図はオフ状態を示している。
【図４】第１実施形態のスイッチの平面図である。本図はロックオン状態を示している。
【図５】第１実施形態のスイッチの縦断面図である。本図はロックオン状態を示している。
【図６】第２実施形態のスイッチの縦断面図である。本図はオフ状態を示している。
【図７】第２実施形態のスイッチの縦断面図である。本図はロックオン状態を示している。
【図８】第３実施形態のスイッチの縦断面図である。本図はオフ状態を示している。
【図９】第３実施形態のスイッチの縦断面図である。本図はロックオン状態を示している。
【発明を実施するための形態】
【０００７】
次に、本発明の第１〜第３実施形態を図１〜図９に基づいて説明する。図１に示すように第１〜第３実施形態では電動工具１として、例えば椎茸栽培の孔明け作業に用いられる電動ドリル（いわゆる椎茸ドリル）を例示している。この電動工具１は、駆動源としての電動モータ７を本体ハウジング２ａに内装した工具本体部２と、工具本体部２の前部に設けた減速ギヤ部３と、減速ギヤ部３の前部に設けたドリルチャック４と、工具本体部２の後部に設けたＤ形のグリップ部５を備えている。
電動モータ７は、回転子７ａと固定子７ｂと冷却ファン７ｃを備えている。固定子７ｂは、その内周側に回転子７ａを位置させた状態で本体ハウジング２ａ側に固定されている。回転子７ａの後部に設けた整流子７ｄには、カーボンブラシ７ｅ，７ｅが摺接されている。回転子７ａは前後に延びる出力軸７ｆを備えている。回転子７ａは、この出力軸７ｆを介して回転自在に支持されている。冷却ファン７ｃは、回転子７ａの出力軸７ｆに固定されている。当該電動モータ７の起動により冷却ファン７ｃが回転することにより本体ハウジング２ａの後部に設けた吸気口２ｂ〜２ｂを経て本体ハウジング２ａ内に外気が導入されて当該電動モータ７の冷却がなされる。吸気口２ｂ〜２ｂを経て吸気された外気は、本体ハウジング２ａ内を前側へ流れた後、減速ギヤ部３のギヤハウジング３ｇに設けた排気口３ｆ〜３ｆを経て外部へ排気される。
電動モータ７の出力軸７ｆの先端に設けた駆動ギヤ７ｇは、減速ギヤ部３の従動ギヤ３ａに噛み合わされている。従動ギヤ３ａは中間軸３ｂの後端部側に固定されている。中間軸３ｂの前端部側には中間ギヤ３ｃが固定されている。中間ギヤ３ｃは出力ギヤ３ｄに噛み合わされている。出力ギヤ３ｄは、スピンドル３ｅに固定されている。スピンドル３ｅは減速ギヤ部３から前方へ突き出されている。スピンドル３ｅには先端刃具取り付け用のドリルチャック４が取り付けられている。このドリルチャック４にドリルビット等の先端刃具８が取り付けられる。
工具本体部２の電動モータ７が起動すると、その回転出力が減速ギヤ部３で減速されてスピンドル３ｅに出力される。
減速ギヤ部３のギヤハウジング３ｇには、先端刃具８の加工深さを調整するための位置決めストッパ９が設けられている。この位置決めストッパ９は、ギヤハウジング３ｇの後部にねじ止めされてドリルチャック４の前方まで延びている。この位置決めストッパ９の先端部が被加工材に当接することにより、先端刃具８の被加工材に対する加工深さ（孔の深さ）が規制される。この位置決めストッパ９の前後方向の位置（加工深さ）は、固定ナット９ａを緩めることにより簡単に調整することができる。
【０００８】
グリップ部５は、使用者が片手で把持する部分で、工具本体部２の後部上面側と下面側との間を跨るループ形を有している。グリップ部５の上部に、電動モータ７の電源回路をオンオフするスイッチ１０が設けられている。スイッチ１０は、使用者が操作するスイッチレバー１１と、スイッチレバー１１の操作によりオンオフされるスイッチ本体１２を備えている。グリップ部５の下部からは、交流電源供給用の電源コード６が引き出されている。電源コード６は、配線６ａを経てスイッチ本体１２に接続されている。スイッチ本体１２からは２本の配線６ｂ，６ｃが引き出されている。両配線６ｂ，６ｃは、それぞれカーボンブラシ７ｅに接続されている。
本実施形態は起動、停止操作用のスイッチ１０に特徴を有するものであり、その他電動ドリルとしての基本的構造については従来と同様で足り、本実施形態において特別な変更を要しない。
【０００９】
図２以下に、スイッチ１０に関して３つの実施形態が示されている。図２〜図５に第１実施形態のスイッチ１０が示されている。第１実施形態のスイッチ１０は、グリップ部５の上角部に設けた平坦な台座部５ａに沿ってスライド可能に支持されたスイッチレバー１１を備えている。台座部５ａは、前側ほど高くなる方向に傾斜して設けられている。台座部５ａの左右両側方には、円弧形状の壁部５ｉ，５ｉが上方へ張り出す状態に設けられている。この壁部５ｉ，５ｉによって他物品等がスイッチレバー１１に接触することが防止され、これによりスイッチレバー１１の不用意なスライド操作（誤操作）が防止される。
図示するようにスイッチレバー１１の上面前部側は上方へ盛り上がる方向に傾斜している。スイッチレバー１１の上面中程からこの盛り上がり部１１ｄに至って、スライド操作する際の指の滑り止めをするための滑り止め突起１１ａ〜１１ａが設けられている。
図３に示すように上記盛り上がり部１１ｄの前端からは係合突起部１１ｂが下方へ張り出す状態で一体に設けられている。また、スイッチレバー１１の下面前後方向中央には支持脚部１１ｃが下方へ張り出す状態で一体に設けられている。これに対して台座部５ａの前部には、係合孔５ｂと支持孔５ｃが設けられている。係合孔５ｂには、スイッチレバー１１の係合突起部１１ｂが挿入され、逆に引き出される。支持孔５ｃには、スイッチレバー１１の支持脚部１１ｃが挿通されている。支持孔５ｃは前後に長い溝孔で、支持脚部１１ｃの前後方向へ変位が許容されるようになっている。支持脚部１１ｃは、グリップ部５内に突き出されている。支持脚部１１ｃの先端部にはＬ字形に屈曲する先端屈曲部１１ｃ１が設けられている。この先端屈曲部１１ｃ１によって支持脚部１１ｃの支持孔５ｃ及び下記のレバー係合部１３ａからの抜け止めがなされている。
【００１０】
図３及び図５に示すようにグリップ部５の内部には、スライドボタン式のスイッチ本体１２が配置されている。このスイッチ本体１２はその上面にスライドボタン１２ａを備えている。図５に示すようにスライドボタン１２ａが前側へスライドされると当該スイッチ本体１２がオンし、図３に示すように後側へスライドさせると当該スイッチ本体１２がオフする。スイッチ本体１２は、その前後に設けた係合縁部１２ｂ，１２ｂが、グリップ部５の内面に設けたコ字形のスイッチ保持リブ５ｆ，５ｆに挿入保持されることにより当該グリップ部５内に保持されている。また、スイッチ本体１２は、同じくグリップ部５の内面に設けたスイッチ保持リブ５ｈ，５ｇによってその主として前後方向へのガタツキ（位置ズレ）が防止される状態で取り付けられている。
スライドボタン１２ａには、小型箱形をなすスイッチアダプタ１３が被せられている。スライドボタン１２ａはこのスイッチアダプタ１３の凹部１３ｂの内部に進入している。このため、図５に示すようにスイッチアダプタ１３がスライドすると、スライドボタン１２ａが一体で前側へスライドして当該スイッチ本体１２がオンする。逆に、図３に示すようにスイッチアダプタ１３が後側へスライドすると、スライドボタン１２ａが一体で後側にスライドして当該スイッチ本体１２がオフする。
上記スイッチアダプタ１３ひいてはスライドボタン１２ａは、圧縮ばね１４によって後側（オフ側）へ移動する方向に付勢されている。圧縮ばね１４は、グリップ部５の内部に一体に設けた凸部５ｄと、スイッチアダプタ１３の前面に設けた凸部１３ｃとの間に介装されている。
スイッチアダプタ１３の前面上部には、レバー係合部１３ａが設けられている。このレバー係合部１３ａにスイッチレバー１１の支持脚部１１ｃの先端屈曲部１１ｃ１が引き掛けられている。
このため、スイッチレバー１１を図２及び図３に示す後側のオフ位置から図４及び図５に示す前側のオン位置へスライド操作すると、その支持脚部１１ｃとレバー係合部１３ａとの係合状態を経てスイッチアダプタ１３が前側へスライドし、これによりスイッチ本体１２がオンする。スイッチレバー１１の前側へのスライド操作を解除すると、スイッチアダプタ１３が圧縮ばね１４により後側（オフ側）に付勢されていることにより、スイッチレバー１１が同じくその支持脚部１１ｃとレバー係合部１３ａとの係合状態を経て一体で後側（オフ側）へ戻され、従ってスイッチ本体１２がオフする。
【００１１】
図４及び図５に示すようにスイッチレバー１１を前側へスライド操作すると、その係合突起部１１ｂが係合孔５ｂの上方へ至る。このため、スイッチレバー１１を前側へスライド操作し、そのまま指先でスイッチレバー１１の前部を押し下げると、図５に示すように係合突起部１１ｂが係合孔５ｂ内に進入する。上記したようにスイッチレバー１１は圧縮ばね１４によって後側に間接的に付勢されている。このため、係合突起部１１ｂが係合孔５ｂ内に進入した状態でスイッチレバー１１の前側へのスライド操作を解除すると、係合突起部１１ｂが係合孔５ｂの後面に対して圧縮ばね１４の付勢力により引き掛った係合状態となる。圧縮ばね１４の付勢力により係合突起部１１ｂが係合孔５ｂの後部に係合されると、スイッチレバー１１が前側のオンに保持され、従ってスイッチ本体１２がオン状態にロックされて電動モータ７の起動状態が維持される。これがスイッチ１０のロックオン状態（オン位置にロックされた状態）に相当する。
図５に示すようにスイッチ１０のロックオン状態では、スイッチレバー１１の後部が台座部５ａから浮き上がった状態となる。このため、スイッチレバー１１の後部を指先で押し下げることにより、係合突起部１１ｂが係合孔５ｂから抜き出されて両者の係合状態（ロックオン状態）が解除される。係合孔５ｂから係合突起部１１ｂが抜き出されると、スイッチレバー１１は圧縮ばね１４の間接作用によりそのまま後側のオフ位置に戻され、従ってスイッチ本体１２がオフされて電動モータ７が停止する。
【００１２】
以上のように構成した第１実施形態の電動工具１によれば、スイッチレバー１１を指先で前側のオン位置にスライド操作するとスイッチ本体１２がオンして電動モータ７が起動する。そのまま指先による前側へのスライド操作を解除すると、スイッチレバー１１は圧縮ばね１４の間接作用により後側のオフ位置に戻されてスイッチ本体１２がオフし、従って電動モータ７が停止する。
スイッチレバー１１を前側のオン位置にスライド操作して電動モータ７を起動させた後、スイッチレバー１１の前部をそのまま押し下げる前傾動操作をすると、係合突起部１１ｂが係合孔５ｂ内に挿入される。係合突起部１１ｂを係合孔５ｂ内に挿入した状態で指先による押し下げ操作を解除すると係合突起部１１ｂが圧縮ばね１４の間接作用により係合孔５ｂの後部に引っ掛かった状態となってスイッチ１０がロックオン状態となる。
このように、第１実施形態によれば、スイッチ１０をロックオンさせるためにはスイッチレバー１１を前側のオン位置へスライドさせる操作と、その前部を押し下げる前傾動操作との２操作であって相互に異なる２方向へ当該スイッチレバー１１を移動操作する必要があり、この点で当該スイッチ１０のロックオン状態への誤操作がされにくいようになっている。
【００１３】
図６及び図７には第２実施形態のスイッチ２０が示されている。第２実施形態では上記第１実施形態におけるスライドボタン式のスイッチ本体１２に代えてトグル式のスイッチ本体２１が用いられている。また、第２実施形態では、第１実施形態とは異なって水平な台座部５ａに沿ってスイッチレバー１１がスライド操作可能に支持されている。台座部５ａの左右側部には、第１実施形態と同様、スイッチレバー１１の誤操作防止用の壁部５ｉ，５ｉが上方へ張り出す状態に設けられている。第１実施形態と同様の部材及び構成について同位の符号を用いてその説明を省略する。
トグル式のスイッチ本体２１は、その上部に前後に傾動可能なトグルレバー２１ａを備えている。スイッチ本体２１は、グリップ部５の内面に一体に設けたスイッチ保持リブ５ｊ，５ｋ，５ｍによってガタツキのない状態に固定されている。
スイッチ本体２１のトグルレバー２１ａは、スイッチアダプタ２２の凹部２２ａ内に進入している。図示するようにスイッチアダプタ２２の凹部２２ａは、トグルレバー２１ａの傾動位置に対応して断面三角形のピラミッド形に形成されている。スイッチアダプタ２２は、グリップ部５の内面に一体に設けた支持縁部２３の上面に沿って前後にスライド可能に支持されている。
図６に示すようにスイッチアダプタ２２が後側に移動するとトグルレバー２１ａが後側に傾動されてスイッチ本体２１がオフする。図７に示すようにスイッチアダプタ２２が前側に移動するとトグルレバー２１ａが前側に傾動されてスイッチ本体２１がオンする。第１実施形態と同じく、スイッチアダプタ２２の前面に設けた凸部２２ｂとグリップ部５の内部に一体に設けた凸部５ｄとの間に圧縮ばね１４が介装されている。この圧縮ばね１４によってスイッチアダプタ２２が後側（オフ側）へ移動する方向に付勢されている。また、第１実施形態と同様、このスイッチアダプタ２２の前面上部に設けた係合部２２ｃに、スイッチレバー１１の先端屈曲部１１ｃ１が引き掛けられている。
【００１４】
このように構成した第２実施形態のスイッチ２０によれば、スイッチレバー１１を図６に示すオフ位置から前側のオン位置にスライド操作すると、支持脚部１１ｃと係合部２２ｃとの係合状態を経てスイッチアダプタ２２が前側へ移動し、これによりトグルレバー２１ａが前側へ傾動されてスイッチ本体２１がオンして電動モータ７が起動する。
スイッチレバー１１をオン操作した指先のオン操作を解除すれば、スイッチレバー１１は圧縮ばね１４の間接作用により後側のオフ位置に戻されてトグルレバー２１ａが後側に回動し、これによりスイッチ本体２１がオフして電動モータ７が停止する。
スイッチレバー１１を前側のオン位置にスライド操作して電動モータ７を起動させた後、スイッチレバー１１の前部をそのまま押し下げると、係合突起部１１ｂが係合孔５ｂ内に挿入される。係合突起部１１ｂを係合孔５ｂ内に挿入した状態で指先による押し下げ操作を解除すると係合突起部１１ｂが圧縮ばね１４の間接作用により係合孔５ｂの後部に引っ掛かった状態となってスイッチ２０がロックオン状態となる。
このように、第２実施形態によっても、スイッチ２０をロックオンさせるためにはスイッチレバー１１を前側のオン位置へスライドさせる操作と、その前部を押し下げる操作との２操作であって相互に異なる方向への２操作を行う必要があるため、第１実施形態と同様当該スイッチ２０をオン操作する際に誤ってロックオン操作してしまうといった誤操作がされにくいようになっている。
【００１５】
図８及び図９には第３実施形態に係るスイッチ３０が示されている。第３実施形態のスイッチ３０は、第１及び第２実施形態とはさらに異なるプッシュボタン式のスイッチ本体３１を備えている。変更を要しない部材及び構成については同位の符号を用いてその説明を省略する。グリップ部５の後部側上部に平坦かつ水平の台座部５ａが設けられている。台座部５ａの左右側部には、第１、第２実施形態と同じく壁部５ｉ，５ｉが上方へ張り出す状態に設けられている。
台座部５ａの前部には係合孔５ｂが設けられている。台座部５ａの中央には前後に長い溝孔形状の支持孔５ｃが設けられている。この台座部５ａに沿ってスイッチレバー１１が前後方向にスライド操作可能に設けられている。
第１、第２実施形態と同様、スイッチレバー１１の上面には滑り止め用の滑り止め突起１１ａ〜１１ａが設けられている。スイッチレバー１１の下面前部には係合突起部１１ｂが下方へ張り出す状態に設けられている。また、スイッチレバー１１の下面ほぼ中央には、先端がＬ字形に屈曲した支持脚部１１ｃが設けられている。支持脚部１１ｃは、台座部５ａの支持孔５ｃを経てグリップ部５の内部に進入している。
台座部５ａの下方であってグリップ部５の内部にスイッチ本体３１が組み込まれている。スイッチ本体３１は、グリップ部５の内部に一体に設けたスイッチ保持リブ３４，３５間に挟まれてガタツキのない状態に組み込まれている。
スイッチ本体３１は、その後面上部にプッシュボタン３１ａを備えている。プッシュボタン３１ａは、スイッチ本体３１内に内蔵した圧縮ばね３１ｂによって後方へ突き出す側（オフ側）にばね付勢されている。図９に示すようにプッシュボタン３１ａを圧縮ばね３１ｂのばね付勢に抗して前側へ押し込むことにより当該スイッチ本体３１がオンする。
【００１６】
台座部５ａの下面側には、後部がＬ字形に屈曲した作動アーム３２が支持されている。この作動アーム３２は、左右一対の支持リブ３３，３３間に跨って前後方向にスライド可能な状態でグリップ部５の内部に支持されている。図示するようにこの作動アーム３２の後部は、Ｌ字形に屈曲されて下方へ張り出す作動片部３２ａが設けられている。この作動片部３２ａがプッシュボタン３１ａの後面に当接されている。作動アーム３２の前部に係合孔３２ｂが設けられている。この係合孔３２ｂ内にスイッチレバー１１の支持脚部１１ｃの先端屈曲部１１ｃ１が引き掛けられている。
スイッチレバー１１を前側のオン位置側へスライド操作すると、その支持脚部１１ｃと係合孔３２ｂとの係合状態を経て作動アーム３２が前側へ移動する。作動アーム３２が前側へ移動すると、その作動片部３２ａによってスイッチ本体３１のプッシュボタン３１ａがオン側へ押し込まれてスイッチ本体３１がオンし、従って電動モータ７が起動する。このことから、作動アーム３２ひいてはスイッチレバー１１は、プッシュボタン３１ａの圧縮ばね３１ｂによるオン位置側へのばね付勢力に抗して前側へ移動操作される。
オン位置側へスライド操作したスイッチレバー１１の指先によるスライド操作を解除すると、図８に示すようにスイッチレバー１１及び作動アーム３２がプッシュボタン３１ａの圧縮ばね３１ｂによるばね付勢力により後側のオフ位置に戻される。作動アーム３２の後側への移動ひいてはスイッチレバー１１のオフ位置は、グリップ部５内に一体に設けたストッパリブ５ｅに作動片部３２ａが当接することにより規制されている。
【００１７】
図９に示すようにスイッチレバー１１を前側へスライド操作してスイッチ本体３１をオン操作した後、そのまま当該スイッチレバー１１を下方へ押し込み操作すると、係合突起部１１ｂが係合孔５ｂに挿入される。その後指先による押し下げ操作を解除すると、係合突起部１１ｂがプッシュボタン３１ａの圧縮ばね３１ｂによるばね付勢力の間接作用によって係合孔５ｂの後部に引っ掛かった状態となる。係合突起部１１ｂが係合孔５ｂに引っ掛かった状態となることにより、スイッチ本体３２がオン状態にロックされ、従って電動モータ７の起動状態が維持される。
スイッチレバー１１が図９に示すロックオン位置に保持されると、その後部が台座部５ａから浮き上がった状態となる。ロックオン状態を解除するには、台座部５ａから浮き上がったスイッチレバー１１の後部を指先で押し下げればよい。台座部５ａから浮き上がったスイッチレバー１１の後部を押し下げると、その係合突起部１１ｂの係合孔５ｂに対する引っ掛かり状態が解除される。係合孔５ｂに対する係合突起部１１ｂの引っ掛かり状態が解除されると、スイッチレバー１１はプッシュボタン３１ａの圧縮ばね３１ｂによるばね付勢力の間接作用により後側のオフ位置にそのまま戻される。
以上のように構成した第３実施形態のスイッチ３０によっても、スイッチ本体３１をオン状態にロックするには、スイッチレバー１１を前側へスライド操作してスイッチ本体３１をオンさせた後、その前部を押し下げ操作して係合突起部１１ｂを係合孔５ｂ内に引き掛ける操作をする必要がある。このことから、第３実施形態のスイッチ３０によってもロックオン操作するにはスイッチレバー１１を相互に異なる２方向に操作する必要があるため、オン操作した後そのまま誤ってロックオン操作してしまうといった誤操作をしにくくなっている。
【００１８】
以上説明した第１〜第３実施形態はさらに変更を加えることができる。例えば、スイッチレバー１１を前傾動させてロックオン操作する構成を例示したが、スイッチレバーを後傾動操作することによりロックオンする構成としてもよく、要は１つの操作部材であるスイッチレバーをオンオフ操作方向とは異なる方向に移動操作してロックされる構成であれば、従来の不用意な誤操作をしにくくすることができる。
また、電動工具１として孔明け用の電気ドリルを例示したが、その他研削工具や切断工具等の電動工具におけるスイッチに適用することができる。
【符号の説明】
【００１９】
１…電動工具（椎茸ドリル）
２…工具本体部、２ａ…本体ハウジング、２ｂ…吸気口
３…減速ギヤ部
３ａ…従動ギヤ、３ｂ…中間軸、３ｃ…中間ギヤ、３ｄ…出力ギヤ、３ｅ…スピンドル
３ｆ…排気口、３ｇ…ギヤハウジング
４…ドリルチャック
５…グリップ部
５ａ…台座部、５ｂ…係合孔、５ｃ…支持孔、５ｄ…凸部、５ｅ…ストッパリブ
５ｆ，５ｇ，５ｈ…スイッチ保持リブ、５ｉ…壁部
５ｊ，５ｋ，５ｍ…スイッチ保持リブ
６…電源コード、６ａ〜６ｃ…配線
７…電動モータ
７ａ…回転子、７ｂ…固定子、７ｃ…冷却ファン、７ｄ…整流子、７ｅ…カーボンブラシ
７ｆ…出力軸、７ｇ…駆動ギヤ
８…先端刃具
９…位置決めストッパ、９ａ…固定ナット
１０…スイッチ（第１実施形態）
１１…スイッチレバー
１１ａ…滑り止め突起、１１ｂ…係合突起部、１１ｃ…支持脚部、１１ｃ１…先端屈曲部
１１ｄ…盛り上がり部
１２…スイッチ本体（スライドボタン式）
１２ａ…スライドボタン、１２ｂ…係合縁部
１３…スイッチアダプタ
１３ａ…レバー係合部、１３ｂ…凹部、１３ｃ…凸部
１４…圧縮ばね
２０…スイッチ（第２実施形態）
２１…スイッチ本体
２１ａ…トグルレバー
２２…スイッチアダプタ、２２ａ…凹部、２２ｂ…凸部、２２ｃ…係合部
２３…支持縁部
３０…スイッチ（第３実施形態）
３１…スイッチ本体（プッシュボタン式）
３１ａ…プッシュボタン、３１ｂ…圧縮ばね
３２…作動アーム
３３…支持リブ
３４，３５…スイッチ保持リブ
【図１】
2014176913.tif 000003
【図２】
2014176913.tif 000004
【図３】
2014176913.tif 000005
【図４】
2014176913.tif 000006
【図５】
2014176913.tif 000007
【図６】
2014176913.tif 000008
【図７】
2014176913.tif 000009
【図８】
2014176913.tif 000010
【図９】
2014176913.tif 000011